(57)【要約】【課題】測量作業者の目の疲労を軽減できる測量用レーザ照準器を提供する。【解決手段】レーザ光源（３）と、前記レーザ光源（３）を覆い、前記レーザ光源（３）から射出されたレーザ光線（Ｂ）を通過させる通光窓（５）を有する筐体（７）とを備える測量用レーザ照準器（１）において、前記レーザ光源（３）から射出されるレーザ光線（Ｂ）の波長を５００〜５７０ｎｍの範囲内とする。前記筐体（７）には、前記照射対象に照射されたレーザ光線を視認するための望遠鏡（９）と、外部から当該レーザ照準器（１）の位置を確認するための反射体とを互換的に取付け可能な支持機構（１３）が設けられていてもよい。【選択図】図１
2017102017.tif 000002
【特許請求の範囲】
【請求項１】
レーザ光源と、
前記レーザ光源を覆い、前記レーザ光源から射出されたレーザ光線を通過させる通光窓を有する筐体と、
を備え、
前記レーザ光源から射出されるレーザ光線の波長が、５００〜５７０ｎｍの範囲内にある、
測量用レーザ照準器。
【請求項２】
請求項１に記載の測量用レーザ照準器において、前記筐体に、前記照射対象に照射されたレーザ光線を視認するための望遠鏡と、外部から当該レーザ照準器の位置を確認するための反射体とを互換的に取付け可能な支持機構が設けられている測量用レーザ照準器。
【発明の詳細な説明】
【技術分野】
【０００１】
本発明は、測量に使用する、レーザを用いた光学式の照準器に関する。
【背景技術】
【０００２】
一般に、測量作業において、測量の基準線を正確に設定するために光学式の照準器が用いられている（例えば、特許文献１参照）。また、このような照準器の光源としてレーザ光線を用いるものが使用されている。レーザ光線は指向性に優れるため、長距離（数百メートル）の測量にも使用することができる。
【先行技術文献】
【特許文献】
【０００３】
【特許文献１】特開２０１０−０７１６８３号公報
【発明の概要】
【発明が解決しようとする課題】
【０００４】
このようなレーザ照準器では、遠方からの視認性を考慮して、赤色のレーザ（例えば波長６３５ｎｍ程度）が一般的に使用されていた。しかし、レーザ照準器が、例えば、トンネル内で使用される場合など、暗い環境下での測量作業に使用される場合には、赤色レーザでは目に対して刺激が強すぎ、長時間作業すると作業者が疲労を感じやすい。
【０００５】
そこで、本発明の目的は、上記の課題を解決すべく、測量作業者の目の疲労を軽減できる測量用レーザ照準器を提供することにある。
【課題を解決するための手段】
【０００６】
上記目的を達成するために、本発明に係る測量用レーザ照準器は、レーザ光源と、前記レーザ光源を覆い、前記レーザ光源から射出されたレーザ光線を通過させる通光窓を有する筐体とを備え、前記レーザ光源から射出されるレーザ光線の波長が、５００〜５７０ｎｍの範囲内にある。
【０００７】
この構成によれば、一般に緑色とされる波長５００〜５７０ｎｍのレーザ光線を使用するので、測量作業者が長時間作業しても、目の疲労を感じにくい。したがって、トンネル内等の暗い環境下における測量作業を効率的に行うことができる。
【０００８】
本発明の一実施形態において、前記筐体に、前記照射対象に照射されたレーザ光線を視認するための望遠鏡と、外部から当該レーザ照準器の位置を確認するための反射体とを互換的に取付け可能な支持機構が設けられていることが好ましい。この構成によれば、望遠鏡によってレーザ光線の照射状態を視認および調整した後、支持機構から望遠鏡を取り外し、反射体に置き換えることができるので、トータルステーションを利用した測量作業にレーザ照準器を用いることが可能になる。これにより、精度の高い測量が可能となる。
【発明の効果】
【０００９】
本発明に係るレーザ照準器によれば、測量作業者が長時間作業しても、目の疲労を感じにくく、かつ視認性にも優れるので、トンネル内等の暗い環境下における測量作業を効率的に行うことができる。
【図面の簡単な説明】
【００１０】
【図１】本発明の第１実施形態に係る測量用レーザ照準器を示す斜視図である。
【図２】図１の測量用レーザ照準器を示す部分破断側面図である。
【発明を実施するための形態】
【００１１】
以下，本発明の好ましい実施形態を図面に基づいて説明する。図１に、本発明の一実施形態に係る測量用レーザ照準器（以下、単に「レーザ照準器」という。）１を示す。このレーザ照準器１は、水準測量のような測量作業に使用されるものであり、測量作業者が、このレーザ照準器１を用いて、測量の基準線を設定する。
【００１２】
図２に示すように、レーザ照準器１は、レーザ光源３と、レーザ光源３を覆い、レーザ光源３から射出されたレーザ光線Ｂを通過させる通光窓５を有する筐体７とを備えている。図示の状態では、レーザ照準器１は、さらに、筐体７に着脱可能に固定された、レーザ光線Ｂの照射対象に照射されたレーザ光線Ｂを視認するための視認器である望遠鏡９を備えている。なお、以下の説明において、レーザ照準器１の長手方向におけるレーザ光線Ｂが射出される側を「前側」と呼び、その反対側を「後側」と呼ぶ。
【００１３】
レーザ光源３は、図示しないスペーサおよびネジ体のような連結部材を介して筐体７内に固定されている。また、図示の例では、通光窓５は、筐体７の前面に形成された円形の開口である。なお、通光窓５は、レーザ光源３からのレーザ光線Ｂを通過させることができれば、いかなる形状、大きさであってもよい。通光窓５の後方には、レーザ光線Ｂの広がりを調整するためのレンズ１１が配置されている。レンズ１１は、図示しない絞り機構によって、その前後位置が調整可能に設けられている。なお、通光窓５には、レーザ光線Ｂを透過させる、例えばガラスやプラスチック製の板材が取付けられていてもよい。
【００１４】
ほぼ直方体形状の筐体７の上面７ａには、筐体７上に望遠鏡９および後述の反射体を互換的に支持するための支持機構１３が設けられている。この支持機構１３に、望遠鏡９が着脱自在に取り付けられている。筐体７の上面における支持機構１３の後方には、水平儀である気泡管１５が取付けられている。レーザ照準器１の全体は、例えば、水平方向角度および傾斜角度を調整可能な支持台１７に取り付けられた状態で使用される。
【００１５】
本実施形態のレーザ光源３から射出されるレーザ光線Ｂの波長は、５００〜５７０ｎｍの範囲内にある。すなわち、本実施形態におけるレーザ光源３は、緑色レーザを射出するレーザ光源３である。より具体的には、本実施形態のレーザ光源３は、波長５３２ｎｍのレーザ光線Ｂを射出する。
【００１６】
また、本実施形態では、レーザ光源３としてレーザダイオードを用いているが、波長５００〜５７０ｎｍのレーザ光線を照射可能な光源であれば、レーザダイオード以外の光源、例えば、ヘリウム管レーザやガス管レーザ等を使用してもよい。
【００１７】
また、図示の例では、電源供給線１９を介して、外部の交流電源からレーザ光源３に電力が供給される。もっとも、レーザ光源３への電源供給の態様は、この例に限定されず、例えば、外部の二次電池等の直流電源または当該レーザ照準器１の一部として設けた（例えば筐体７の外面または内部に固定した）二次電池等の直流電源からレーザ光源３へ電源供給を行ってもよい。
【００１８】
また、本実施形態では、外部から当該レーザ照準器１の位置を確認するための、光を反射する反射体（例えば、プリズム）が、筐体７の上面１７ａに設けられた支持機構１３に、望遠鏡９と互換的に取り付けられる。このような構成により、望遠鏡９によってレーザ光線Ｂの照射状態を視認および調整した後、支持機構１３から望遠鏡９を取り外し、プリズム等の反射体に置き換えることができるので、トータルステーションを利用した測量作業にレーザ照準器を用いることが可能になる。
【００１９】
以上説明したように、本実施形態に係る測量用レーザ照準器１によれば、一般に緑色とされる波長５００〜５７０ｎｍのレーザ光線Ｂを使用するので、測量作業者が長時間作業しても、目の疲労を感じにくい。したがって、例えばトンネル内等の暗い環境下における測量作業を効率的に行うことができる。
【００２０】
以上のとおり、図面を参照しながら本発明の好適な実施形態を説明したが、本発明の趣旨を逸脱しない範囲内で、種々の追加、変更または削除が可能である。したがって、そのようなものも本発明の範囲内に含まれる。
【符号の説明】
【００２１】
１  測量用レーザ照準器
３  レーザ光源
５  通光窓
７  筐体
９  望遠鏡
１３  支持機構
Ｂ  レーザ光線
【図１】
2017102017.tif 000003
【図２】
2017102017.tif 000004